(57)【特許請求の範囲】
【請求項１】
シールプラグと、
カップカバーと、
カップボディと、
カップボディの底部における中間孔内に設けられるピストン棒と、
ピストン棒の突起が緊密に嵌め込まれるピストンと、
ねじ山によってピストン棒の下端に接続されて固定されるドレナージ針と、
一端がカップボディの底部に当接し、他端がドレナージ針のフランジに当接するクラッチスプリングと、
下カバーとによって構成される底部制御式標本フィルタリング容器において、
第１層のフィルタースクリーンと第２層のフィルタースクリーンからなる二層フィルタリングシステムを更に設け、第１層のフィルタースクリーンの軸が第２層のフィルタースクリーンの中間孔を貫通してピストン棒の頂端孔内に固定されることを特徴とする底部制御式標本フィルタリング容器。
【請求項２】
カップカバーにおける指定孔内に取り付けられるサンプラーを更に設けることを特徴とする請求項１に記載の底部制御式標本フィルタリング容器。
【請求項３】
第１層のフィルタースクリーンの下端面とピストンの上端面との間には隙間があり、前記隙間の高さが第２層のフィルタースクリーンの厚さより大きいことを特徴とする請求項１に記載の底部制御式標本フィルタリング容器。
【請求項４】
液体標本に対して、フィルタリングする溶液を直接にカップボディに入れ、カップカバーを掛け、固体標本に対して、まず固体標本をカップボディに入れ、カップカバーとシールプラグを掛け、注射器のような装置によって、シールプラグの中央において予め用意した軟質孔を刺し通し、固体標本を溶解する液体をカップボディに注入して、均一に振るステップ１と、
下カバーを取り外して、受取容器をドレナージ針の下に置くステップ２と、
受取容器を上に向かって押し、クラッチスプリングを圧縮させ、ドレナージ針をピストン、ピストン棒、二層フィルタリングシステムと共にカップボディにおいて上に向かって移動させ、カップボディの底部を開き、溶液をカップボディの底部から受取容器に流入させるステップ３と、
標本溶液を所要の用量まで収集した時に、受取容器を下に向かって移動させ、ドレナージ針がピストン、ピストン棒、二層フィルタリングシステムと共にクラッチスプリングによって回復し、カップボディの底部を閉じ、フィルタリングを完成するステップ４と、
を含むことを特徴とする底部制御式標本フィルタリング方法。
【発明の詳細な説明】
【技術分野】
【０００１】
本発明は、フィルタリング装置及びフィルタリング方法に関し、具体的には、底部制御式標本フィルタリング容器及び底部制御式標本フィルタリング方法に関する。
【背景技術】
【０００２】
医学試験室、生物試験室等の分野では、サンプリングした糞便、尿液、河水等のような液体見本をフィルタリング容器によってフィルタリングすることが必要となる。例えば、使い捨ての糞便濃縮容器のような従来のフィルタリング容器は、図１、図２に示す。図１に示すように、手動で容器の頂部における安全栓１を取り外した後、手動で容器内の底部中心における円孔を突き抜いて、液体が下に向かって底部のフィルタースクリーンを流れるようにし、又は、図２に示すように、容器の側面において、手による引張り方式で安全プラグ２を引張って、中心孔を開き、液体を流させる。その欠点は、頂部の安全栓又は側面の安全ジャケットによって手動で制御することだけが可能であり、開くことができるが、閉じることができなく、フィルタリング量を制御できないため、容器内における液体の全てを一回でフィルタリングする必要があることである。
【発明の概要】
【発明が解決しようとする課題】
【０００３】
本発明は、容器内における液体を数回に分けてフィルタリングすることができる底部制御式標本フィルタリング容器及び方法を提供することを目的とする。
【０００４】
上述した目的を達成するために、本発明は、以下のような解決方法を提出する。
【０００５】
底部制御式標本フィルタリング容器は、シールプラグと、カップカバーと、カップボディと、カップボディの底部における中間孔内に設けられるピストン棒と、ピストン棒の突起が緊密に嵌め込まれるピストンと、ねじ山によってピストン棒の下端に接続されて固定されるドレナージ針と、一端がカップボディの底部に当接し、他端がドレナージ針のフランジに当接するクラッチスプリングと、下カバーとによって構成され、第１層のフィルタースクリーンと第２層のフィルタースクリーンからなる二層フィルタリングシステムを更に設け、第１層のフィルタースクリーンの軸が第２層のフィルタースクリーンの中間孔を貫通してピストン棒の頂端孔内に固定される。
【０００６】
前記底部制御式標本フィルタリング容器は、カップカバーにおける指定孔内に取り付けられるサンプラーを更に設ける。
【０００７】
前記第１層のフィルタースクリーンの下端面とピストンの上端面との間には隙間があり、前記隙間の高さが第２層のフィルタースクリーンの厚さより大きい。
【０００８】
底部制御式標本フィルタリング方法は、以下のようなステップを含む。
【０００９】
液体標本に対して、フィルタリングする溶液を直接にカップボディに入れ、カップカバーを掛け、固体標本に対して、まず固体標本をカップボディに入れ、カップカバーとシールプラグを掛け、注射器のような装置によって、シールプラグの中央において予め用意した軟質孔を刺し通し、固体標本を溶解する液体をカップボディに注入して、均一に振るステップ１。
【００１０】
下カバーを取外して、受取容器をドレナージ針の下に置くステップ２。
【００１１】
受取容器を上に向かって押し、クラッチスプリングを圧縮させ、ドレナージ針をピストン、ピストン棒、二層フィルタリングシステムと共にカップボディにおいて上に向かって移動させ、カップボディの底部を開き、溶液をカップボディの底部から受取容器に流入させるステップ３。
【００１２】
標本溶液を所要の用量まで収集した時に、受取容器を下に向かって移動させ、ドレナージ針がピストン、ピストン棒、二層フィルタリングシステムと共にクラッチスプリングによって回復し、カップボディの底部を閉じ、フィルタリングを完成するステップ４。
【００１３】
上述した方法を採用すると、本発明を用いる場合に、試験管又はその他の受取容器によって、標本溶液を入れる容器である標本フィルタリング容器の開くこと又は閉じることを直接に制御することになり、衛生的であり、密閉性が良いだけではなく、開くことも閉じることもでき、フィルタリング量を制御できるため、必要に応じて容器内における液体を数回に分けてフィルタリングすることができ、非常に便利である。
【００１４】
以下、図面及び具体的な実施例を参照しながら、本発明を更に詳しく説明する。
【図面の簡単な説明】
【００１５】
【図１】図１は、従来の使い捨ての糞便濃縮容器の構造模式図である。
【図２】図２は、従来の他の使い捨ての糞便濃縮容器の構造模式図である。
【図３】図３は、発明の外観模式図である。
【図４】図４は、本発明の構造模式図である。
【図５】図５は、本発明のフィルタリング状態の模式図である。
【図６】図６は、本発明の立体分解図である。
【発明を実施するための形態】
【００１６】
図３〜図６は、本発明の好ましい実施例を示す。
【００１７】
底部制御式標本フィルタリング容器は、シールプラグ１と、カップカバー２と、カップボディ３と、カップボディの底部における中間孔１２内に設けられるピストン棒５と、ピストン棒５の突起が緊密に嵌め込まれるピストン６と、ねじ山によってピストン棒５の下端に接続されて固定されるドレナージ針８と、一端がカップボディ３の底部に当接し、他端がドレナージ針８のフランジに当接するクラッチスプリング７と、下カバー９とによって構成され、第１層のフィルタースクリーン４と第２層のフィルタースクリーン１１からなる二層フィルタリングシステムを更に設け、第１層のフィルタースクリーン４の軸が第２層のフィルタースクリーン１１の中間孔を貫通してピストン棒５の頂端孔に固定された。
【００１８】
底部制御式標本フィルタリング容器は、カップカバー２における指定孔内に取り付けられるサンプラー１０を更に設けた。
【００１９】
この実施例において、二層フィルタリングシステムのフィルタリング効果を最適にするために、第１層のフィルタースクリーン４の下端面とピストン６の上端面との間の隙間の高さＨを第２層のフィルタースクリーン１１の厚さｄより大きくした。
【００２０】
使用の時に、サンプラー１０によって、フィルタリングする溶液をフィルタリング容器に入れ、密閉が必要としなければ、シールプラグ１を掛けなくてもよい。固体標本（例えば、糞便標本）であり、密閉にして溶解し、フィルタリングすることが必要である場合に、サンプラー１０によって容器に入れてからシールプラグ１を掛け、注射器のような装置によって、シールプラグ１の中央において予め用意した軟質孔を刺し通し、固体標本を溶解する液体を容器に注入した。次に、下カバー９を取外して、試験管又はその他の受取容器をドレナージ針８の下に置き、ドレナージ針８を押して上に向かって移動させ、ドレナージ針８がクラッチスプリング７を圧縮させてピストン棒５を押し、ピストン６と第１層のフィルタースクリーン４が上に向かって移動するように駆動させ、上への移動が一定の程度になった時に、第２層のフィルタースクリーン１１もピストン６の駆動によって上に向かって移動し、この時、第１層のフィルタースクリーン４と第２層のフィルタースクリーン１１との間に一定の空間が形成され、二層フィルタリングの効果を奏し、そして、容器内における標本がカップ底部の上端面とピストン６の下端面との隙間を流れ、ドレナージ針８を介して流出するまで続けて上に移動させた。停止すると、ドレナージ針８が緩められ、クラッチスプリング７によってドレナージ針８が元の位置に回復し、ピストン６が隙間を塞ぎ、標本が外に流出しないように制御した。本発明は、衛生的であり、密閉性がよく、容器内における液体を必要に応じて数回に分けてフィルタリングすることができる長所を有する。
【００２１】
上述したのは本発明の具体的な実施形態であり、本発明の設計構想はそれに限定されなく、この構想を用いて本発明に加えた実質的ではない変更は、どんなものであっても本発明の保護範囲内である。
【符号の説明】
【００２２】
１  シールプラグ
２  カップカバー
３  カップボディ
４  第１層のフィルタースクリーン
５  ピストン棒
６  ピストン
７  クラッチスプリング
８  ドレナージ針
９  下カバー
１０  サンプラー
１２  中間孔
１１  第２層のフィルタースクリーン
【図１】
0005499158.tif 000002
【図２】
0005499158.tif 000003
【図３】
0005499158.tif 000004
【図５】
0005499158.tif 000005
【図６】
0005499158.tif 000006